(57)【特許請求の範囲】
【請求項１】
カップ状のシリンダ筒を介して扉面に装着されるシリンダ錠であって、内筒に装着されたスリット付のテールプラグのスリットに板状のテールピースを挿入し、このテールピースのテールプラグからの抜け止めと、内筒の外筒からの抜け止めを兼ねる蛇の目状のストッパー板をテールピースに嵌着し、このストッパー板の内側に止め輪を嵌着したものにおいて、この止め輪の更に内側におけるテールプラグに、全体の形状が蛇の目状で、外径がシリンダ筒の内径より小さい抜け止めリングを回動可能に嵌着し、この抜け止めリングを、シリンダ筒の内筒部に嵌着されたシリンダ錠抜け止め用のシリンダ止め輪に外側から係合可能に臨ませたことを特徴とするシリンダ錠。
【発明の詳細な説明】
【０００１】
【発明の属する技術分野】
この発明は、シリンダ錠に係り、特に、室外側から内筒内端のテールピースを打ち外すことによる破錠を防止し得るシリンダ錠に関する。
【０００２】
【従来の技術】
例えばピンタンブラー錠、レバータンブラー錠等、シリンダ錠には種々の型式があるが、少なくとも本出願人が製造、販売しているシリンダ錠は、シリンダ筒１１（図４参照）を介して扉に装着されるため、その外形や寸法等は規格によって一定に保たれている。
【０００３】
また、シリンダ錠内筒の回動を錠箱内のデッドボルト制御機構に伝達するテールピースは、図１及び図２に示すように、内筒１に連結されたテールプラグ２のスリット３（図２参照）に一対の脚部４、４を形成したテールピース５を挿入して装着する。
【０００４】
そして、このテールピース５がテールプラグ２から抜け出ないように、また、内筒全体が外筒６から室外側に抜け出ないように、テールプラグ２の基部段部に蛇の目状のストッパー板７を嵌着し、例えばＣ−リング等の止め輪８によってこれ等を一体的に結合する。
【０００５】
【発明が解決しようとする課題】
上記のように構成されたシリンダ錠は、図１及び図３に示すように、室外側に開口した鍵孔に板状の工具を差込み、図１に示すように鍵先を通す鍵孔の内端部分を経て、その内端をテールプラグに当てた状態でハンマー等で工具９の外端の頭部を打撃すると、衝撃によって上記止め輪８が飛んでテールピース５が外れてしまうことがある。
【０００６】
そうすると、鍵孔から錠箱内のデッドボルト制御機構が覗けるので、図示しない工具による不正解錠が可能になる。
【０００７】
この発明は、上記したように室外側から内筒内端のテールピースを打ち外すことによる破錠を防止し得るシリンダ錠を提供することを目的としている。
【０００８】
【課題を解決するための手段】
上記の目的を達成するため、この発明は、カップ状のシリンダ筒を介して扉面に装着されるシリンダ錠であって、内筒に装着されたスリット付のテールプラグのスリットに板状のテールピースを挿入し、このテールピースのテールプラグからの抜け止めと、内筒の外筒からの抜け止めを兼ねる蛇の目状のストッパー板をテールピースに嵌着し、このストッパー板の内側に止め輪を嵌着したものにおいて、この止め輪の更に内側におけるテールプラグに、全体の形状が蛇の目状で、外径がシリンダ筒の内径より小さい抜け止めリングを回動可能に嵌着し、この抜け止めリングを、シリンダ筒の内筒部に嵌着されたシリンダ錠抜け止め用のシリンダ止め輪に外側から係合可能に臨ませたことを特徴とする。
【０００９】
【実施例】
以下、この発明の一実施例を図４乃至図６を参照して説明する。
図４において符号１１はシリンダ筒を示し、従来のシリンダ錠は、このシリンダ筒１１内に収納された状態で、シリンダ錠の内側（図４で右側）に抜け止めのシリンダ止め輪１２によって抜け止めを施される。
【００１０】
ちなみに、上記シリンダ筒１１は全体の形状がカップ状で、内側（図４で右側）の開口端縁部外周面に形成された取付ブロック１３、１３及び図示しない錠箱を貫通する装着杆１４、１４により、扉に装着される。
【００１１】
また、シリンダ筒１１の扉外面に突出した部分には飾り筒１５が装着され、この飾り筒１５は、内蔵された付番しない圧縮コイルばねの弾力により、扉の厚さに応じて自動的にその位置を調節する。上記したシリンダ筒周辺の構造は周知であるから、更に詳細な説明は省略する。
【００１２】
この発明におけるシリンダ錠においては、図４及び図５に示すように、止め輪８の内側におけるテールプラグ２の外周部に、全体の形状が蛇の目状で、外径がシリンダ筒の内径より小さい抜け止めリング１６が回動可能に嵌着されている。
【００１３】
図示の実施例では、図５及び図６に示すように、この抜け止めリング１６の断面は、ストッパー板７及び止め輪８に隙間なく接合できるように段部が形成されており、また、内側開口端縁の中心を挟んで対称的な２ヵ所にテールプラグ２のスリットと係合して回り止めとなる爪１７が突設されている。
【００１４】
そして、この抜け止めリング１６は、図４に示すように、スペーサリング１８を介して、シリンダ止め輪１２に外側から係合可能に臨んでいる。
【００１５】
なお、この発明においては、シリンダ錠との間に少なくとも抜け止めリング１２を挿設したから、シリンダ止め輪１２は従来の位置から内側に移動している。
【００１６】
上記のように構成されたこの発明の一実施例によるシリンダ錠は、図４に示すように鍵孔に工具９を差込み、その頭部にハンマー等で打撃を加えた場合、その打撃力は、テールピース５、ストッパー板７、止め輪８及びスペーサリング１８を介してシリンダ止め輪１２に受け止められる。
【００１７】
通常、シリンダ止め輪１２は止め輪８と比較して大きく、厚くかつシリンダ筒１１との係合度が大きいので、工具９が担持できる程度の打撃力には充分耐えてびくともしない。
【００１８】
更に大きな打撃力を工具に加えると、鍵孔に挿入できる程度の工具は断面積が小さいので、応力に耐えられずに工具自体が破壊されるか或いは塑性変形し、結局テールピース５を打ち外すことはできない。
【００１９】
【発明の効果】
以上の説明から明らかなように、この発明は、テールピースの抜け止めとなる止め輪の更に内側におけるテールプラグに、全体の形状が蛇の目状で、外径がシリンダ筒の内径より小さい抜け止めリングを回動可能に嵌着し、この抜け止めリングを、シリンダ筒の内筒部に嵌着されたシリンダ錠抜け止め用のシリンダ止め輪に外側から係合可能に臨ませたから、鍵孔に工具を差込み、この工具の頭部を打撃することによってテールピースに衝撃を与えても、この衝撃はシリンダ止め輪に受け止められ、結局テールピースの打ち外しを防止できる、という所期の効果を奏する。
【図面の簡単な説明】
【図１】従来のシリンダ錠の内端部の断面図。
【図２】テールプラグの構造の一例を示す外観斜視図。
【図３】従来のシリンダ錠の側面図。
【図４】この発明の一実施例によるシリンダ錠の一部断面側面図で、シリンダ筒内に収納されている状態を示す。
【図５】この発明の一実施例によるシリンダ錠の裏面図。
【図６】抜け止めリングの断面図。
【符号の説明】
１  内筒
２  テールプラグ
３  スリット
４  脚部
５  テールピース
６  外筒
７  ストッパー板
８  止め輪
１１  シリンダ筒
１２  シリンダ止め輪
１６  抜け止めリング
１７  爪
１８  スペーサリング
【図１】
0004670067.tif 000002
【図２】
0004670067.tif 000003
【図３】
0004670067.tif 000004
【図４】
0004670067.tif 000005
【図５】
0004670067.tif 000006
【図６】
0004670067.tif 000007